(57)【特許請求の範囲】
【請求項１】
螺旋状に配置された複数の踏板を支持する階段支柱の連結構造であって、
上下方向に連設された複数の支柱本体と、隣り合う前記支柱本体同士を連結する連結部材とを備えており、
前記支柱本体は、管状に成形されており、
前記連結部材は、隣り合う前記支柱本体の各々の内空部に相対回転不能な状態で挿入されており、
前記支柱本体の内周面には、複数の凹部が周方向に等しい間隔をあけて配置されており、
前記連結部材の外周面には、前記凹部に係合する複数の凸部が周方向に等しい間隔をあけて配置されており、
前記支柱本体の前記複数の凹部の角度ピッチおよび前記連結部材の前記複数の凸部の角度ピッチが、いずれも前記踏板の中心角と等しいことを特徴とする階段支柱の連結構造。
【請求項２】
前記支柱本体には、前記内空部に連通する挿通孔が形成されており、
前記連結部材には、前記挿通孔に対応する位置に、雌ネジ孔が形成されており、
前記挿通孔に挿通したボルトの軸部を前記雌ネジ孔に螺合することにより、前記支柱本体と前記連結部材とが固定されていることを特徴とする請求項１に記載の階段支柱の連結構造。
【請求項３】
前記支柱本体および前記連結部材は、アルミニウム合金製の押出形材からなることを特徴とする請求項１または請求項２に記載の階段支柱の連結構造。
【発明の詳細な説明】
【技術分野】
【０００１】
本発明は、階段支柱の連結構造に関する。
【背景技術】
【０００２】
複数の踏板を螺旋状に配置してなる階段は、特許文献１や特許文献２などに開示されている。
【０００３】
これらに開示された階段は、階段支柱から平面視Ｖ字状に張り出す二つのブラケットで各踏板を支持する形式の階段であるが、細長のフレームを利用して各ブラケットを構成したことで、看者に軽快な印象を与えることに成功している。
【０００４】
ところで、このような階段を階高が大きいフロア間に設置する場合や複数階に亘って設置する場合には、特許文献３に開示されているように、複数の支柱本体を上下方向に連設して長尺の階段支柱を形成する必要がある。なお、特許文献３の階段支柱の連結構造においては、支柱本体の端部に設けたフランジ同士を突き合わせるとともに、フランジ同士をボルト・ナットで締結することにより、上下方向に隣り合う支柱本体同士を連結している。
【０００５】
【特許文献１】特開２００４−７６２８１号公報
【特許文献２】特開２００４−７６２８４号公報
【特許文献３】特開平９−２５６５８３号公報
【発明の開示】
【発明が解決しようとする課題】
【０００６】
ところが、特許文献３の階段支柱の連結構造では、支柱本体のフランジが露出したままになるので、看者に無骨な印象を与えてしまう虞がある。さらに、特許文献３の階段支柱の連結構造においては、接合部分に作用する引張力やせん断力、さらには曲げモーメントやねじりモーメントなどに対してフランジ同士を締結するボルト・ナットだけで抵抗する必要があることから、太径のボルト・ナットを使用するか、あるいは、多数のボルト・ナットを使用する必要があるが、このようにすると、接合部分の美観が損なわれる虞がある。また、支柱本体にフランジを設けるには、溶接作業等を必要とすることから、その製造に手間と時間とを要するという問題もある。
【０００７】
このような観点から、本発明は、複数の支柱本体を連設してなる階段支柱の連結構造であって、支柱本体同士の接合部分の外観がすっきりとしている階段支柱の連結構造を提供することを課題とし、さらには、製造が容易な支柱本体を備えた階段支柱の連結構造を提供することを課題とする。
【課題を解決するための手段】
【０００８】
このような課題を解決する本発明は、螺旋状に配置された複数の踏板を支持する階段支柱の連結構造であって、上下方向に連設された複数の支柱本体と、隣り合う前記支柱本体同士を連結する連結部材とを備えており、前記支柱本体は、管状に成形されており、前記連結部材は、隣り合う前記支柱本体の各々の内空部に相対回転不能な状態で挿入されていることを特徴とする。
【０００９】
この階段支柱の連結構造においては、階段支柱を構成する支柱本体同士を、その内空部に挿入した連結部材を介して連結しているので、連結部材が露出することがなく、したがって、接合部分の外観がすっきりとしたものになる。また、この階段支柱の連結構造は、隣り合う支柱本体の境界部分を跨ぐように連結部材を配置しているので、境界部分（接合部分）においても曲げモーメントやせん断力に対して高い抵抗力を発揮し、さらに、相対回転不能な状態で連結部材を支柱本体の内空部に挿入しているので、ねじりに対しても高い抵抗力を発揮する。
【００１０】
支柱本体と連結部材とを相対回転不能とするために、本発明では、前記支柱本体の内周面に、周方向に等しい間隔をあけて複数の凹部を配置するとともに、前記連結部材の外周面に、周方向に等しい間隔をあけて前記凹部に係合する複数の凸部を配置している。
【００１１】
本発明では、前記支柱本体の前記複数の凹部の角度ピッチおよび前記連結部材の前記複数の凸部の角度ピッチを、いずれも、前記踏板の中心角と等しくしている。このようにすると、上下方向に隣り合う支柱本体同士の接合位置を踏板の中心角と等しい角度ピッチで周方向に回転させることができるので、複数の支柱本体の各々の周囲に踏板を配置した場合であっても、複数の踏板を規則正しく配置することが可能となる。
【００１２】
本発明においては、前記支柱本体に前記内空部に連通する挿通孔を形成するとともに、前記連結部材の前記挿通孔に対応する位置に雌ネジ孔を形成し、前記挿通孔に挿通したボルトの軸部を前記雌ネジ孔に螺合することにより、前記支柱本体と前記連結部材とを固定してもよい。このようにすると、連結部材の上下方向のずれを確実に防止することが可能となる。なお、このボルトに対してねじりモーメント等に起因するせん断力が作用するが、連結部材を相対回転不能な状態で支柱本体の内空部に挿入しているので、ボルトのみで支柱本体を接合する場合に比べて、ボルトが負担するせん断力の大きさは小さいものとなる。
【００１３】
なお、前記支柱本体および前記連結部材をアルミニウム合金製の押出形材で構成すれば、その製造が容易になるとともに、押出成形する際に凹部や凸部を形成することができるので、好適である。
【発明の効果】
【００１４】
本発明に係る階段支柱の連結構造によると、支柱本体を連結する連結部材が外部に露出することがないので、支柱本体同士の接合部分の外観がすっきりとしたものになる。
【発明を実施するための最良の形態】
【００１５】
本発明を実施するための最良の形態を、添付した図面を参照しつつ詳細に説明する。なお、以下の説明においては、同一の要素には同一の符号を付し、重複する説明は省略する。また、本実施形態における「前後」は、階段の上り方向を向いたときを基準とする。
【００１６】
＜全体構成＞  
本実施形態に係る階段支柱の連結構造を具備する階段は、図１に示すように、階段支柱１の周囲に複数の踏板５，５，…を螺旋状に配置してなる階段であって、複数階に亘って配置されている。なお、以下の説明においては、下階（１階）の階段取付部Ｆ１から中間階（２階）の階段取付部Ｆ２に至る部分を下階段部Ｋ１といい、中間階の階段取付部Ｆ２から上階（３階）の階段取付部Ｆ３に至る部分を上階段部Ｋ２ということがある。
【００１７】
本実施形態においては、階段支柱１の周囲に螺旋状に配置された複数の踏板５，５，…のそれぞれが、階段支柱１から平面視（上面視）Ｖ字状に張り出した一対のブラケット３，３（図２参照）によって支持されている。また、本実施形態においては、複数の踏板５，５，…の先端部分（外縁部分）を取り巻くように複数の手摺支柱６，６，…が立設されており、これらの上端を繋ぐように手摺７が配置されている。
【００１８】
なお、図２に示すように、各ブラケット３は、正面視横Ｖ字状を呈しており、かつ、同一の高さに位置する一対のブラケット３，３は、その基端同士が階段支柱１の外周面に固定されたベース２を介して互いに連結されており、その先端同士が連結フレーム４を介して互いに連結されている。つまり、本実施形態においては、ベース２と前後に隣り合う二個一組のブラケット３，３と連結フレーム４とによって四面体を呈する立体トラス構造体Ｔが形成されており、この立体トラス構造体Ｔに踏板５が支持されている、と言える。
【００１９】
＜階段支柱＞  
階段支柱１（以下、「支柱１」と称する。）は、図３に示すように、上下方向（鉛直方向）に連設された複数（本実施形態では二つ）の支柱本体１１，１１と、隣り合う支柱本体１１，１１を連結する連結部材１２と、下側の支柱本体１１（最下段の支柱本体１１）の下端と下階の階段取付部Ｆ１（図１参照）との間に介設される支持部材１３とを備えている。
【００２０】
支柱本体１１は、本実施形態では、管状に成形されたアルミニウム合金製の押出形材からなる。支柱本体１１の外周面であってベース２が固定される領域Ａには、複数（本実施形態では三つ）の雌ネジ孔１１ａ，１１ａ，１１ａが形成されている。雌ネジ孔１１ａには、ベース２を固定するための六角穴付きのボルトＢ２１の軸部が螺合される。
【００２１】
下側の支柱本体１１の上端部および上側の支柱本体１１の下端部には、それぞれ、内空部１１ｆに連通する挿通孔１１ｂ，１１ｂ，…が形成されている。挿通孔１１ｂには、連結部材１２を固定するための六角穴付きのボルトＢ１１の軸部が挿通される。
【００２２】
上下方向に連設された支柱本体１１，１１のうち、最下段の支柱本体１１の下面には、複数の有底の雌ネジ穴１１ｃ，１１ｃ，…が形成されている。雌ネジ穴１１ｃには、支持部材１３を固定するための六角穴付きのボルトＢ１２が螺合される。なお、図示は省略するが、支柱本体１１の外形を多角形としても差し支えない。
【００２３】
図４の（ｂ）に示すように、挿通孔１１ｂは、支柱本体１１の内周面に形成された凹部１１ｄに開口している。挿通孔１１ｂは、その外側の部位が拡径されていて、段付き円筒状を呈している。挿通孔１１ｂの拡径された部位には、ボルトＢ１１の頭部が収容される。
【００２４】
支柱本体１１の内周面には、複数の凹部１１ｄ，１１ｄ，…が周方向に等しい間隔をあけて配置されている。凹部１１ｄは、支柱本体１１の全長に亘って互いに平行に設けられた突条１１ｅ，１１ｅに挟まれた空間であり、支柱本体１１を押出成形する際に形成される。複数の凹部１１ｄ，１１ｄ，…の角度ピッチαは、踏板５の中心角β（図１０参照）と等しくなっている。
【００２５】
図３に示す連結部材１２は、上下方向に隣り合う支柱本体１１，１１の境界部分を跨ぐように配置されるものであって（図４の（ａ）参照）、隣り合う支柱本体１１，１１の各々の内空部１１ｆに相対回転不能な状態で挿入される。連結部材１２は、管状に成形されたアルミニウム合金製の押出形材からなり、その上下方向の中央部分には、下側の支柱本体１１の挿通孔１１ｂ，１１ｂ，…および上側の支柱本体１１の挿通孔１１ｂ，１１ｂ，…に対応する位置に、雌ネジ孔１２ａ，１２ａ，…が形成されている。そして、挿通孔１１ｂに挿通したボルトＢ１１の軸部を雌ネジ孔１２ａに螺合することにより、支柱本体１１と連結部材１２とが固定される。なお、本実施形態においては、雌ネジ孔１２ａは、連結部材１２の外周面に形成された後記する凸部１２ｂに形成されている。
【００２６】
図４の（ｃ）に示すように、連結部材１２の外周面には、支柱本体１１の凹部１１ｄに係合する複数の凸部１２ｂ，１２ｂ，…が周方向に等しい間隔をあけて配置されている。凸部１２ｂは、支柱本体１１の凹部１１ｄに丁度嵌まり込むような形状に成形されていて、複数の凸部１２ｂ，１２ｂ，…の角度ピッチも、踏板５の中心角β（図１０参照）と等しくなっている。また、周方向に隣り合う凸部１２ｂ，１２ｂの間には、支柱本体１１の突条１１ｅに係合する溝条１２ｃが形成されている。凸部１２ｂおよび溝条１２ｃは、連結部材１２の全長に亘って設けられていて、連結部材１２を押出成形する際に形成される。
【００２７】
なお、本実施形態においては、ボルトＢ１１を使用して支柱本体１１と連結部材１２とを固定したが、これに限定されることはなく、溶接や接着等の方法により固定しても差し支えない。
【００２８】
図３に示す支持部材１３は、支柱本体１１よりも径の大きいアルミニウム合金製の円板からなり、ボルトＢ１２によって支柱本体１１の下端に固定される。支持部材１３の上面には、支柱本体１１の下端部分が嵌め込まれる円形の嵌合凹部１３ａが形成されており、この嵌合凹部１３ａには、支柱本体１１の複数の雌ネジ穴１１ｃ，１１ｃ，…に対応する複数のボルト挿通孔１３ｂ，１３ｂ，…が形成されている。このボルト挿通孔１３ｂには、ボルトＢ１２が支持部材１３の下面側から挿通される。また、嵌合凹部１３ａの外周側にも、複数のボルト挿通孔１３ｃ，１３ｃ，…が形成されている。このボルト挿通孔１３ｃには、支持部材１３を下階の階段取付部Ｆ１（図１参照）に固定するためのボルトＢ１３が挿通される。
【００２９】
＜ベース＞  
ベース２は、図５の（ａ）に示すように、支柱本体１１の外周面に取り付けられるブロック状の部材からなり、図５の（ｂ）にも示すように、支柱本体１１との当接面２１が支柱本体１１の外周面の形状に合わせて円筒面に成形されている。
【００３０】
ベース２には、当接面２１とは反対側の面２２に、一対の連結溝２２ａ，２２ａが上下方向に形成されている。なお、連結溝２２ａは、支柱本体１１の半径方向に沿って形成されており、連結溝２２ａの内壁面には、凹凸が形成されている。また、一対の連結溝２２ａ，２２ａの間には、支柱本体１１の領域Ａ（図３参照）に形成された雌ネジ孔１１ａ，１１ａ，１１ａ（図３参照）に対応する複数（本実施形態では三つ）の段付きのボルト挿通孔２２ｂ，２２ｂ，２２ｂが形成されている。
【００３１】
ベース２の上面２３には、その中央部に有底の雌ネジ穴２３ａが形成されている。この雌ネジ穴２３ａには、踏板５の基端部を固定するための六角穴付きの皿ボルトＢ５１（図１０参照）が螺合される。
【００３２】
＜ブラケット＞  
ブラケット３は、図６の（ａ）に示すように、支柱１の外周面から水平に張り出す上フレーム３１と、この上フレーム３１の下方において支柱１の外周面から斜め上方に向かって張り出す下フレーム３２と、上フレーム３１の先端と下フレーム３２の先端とを連結する節点部材３３とを備えていて、正面視横Ｖ字状を呈している。なお、本実施形態に係るブラケット３は、図２に示すように、節点部材３３に接続された支持片３４を備えている。
【００３３】
上フレーム３１は、図６の（ａ）に示すように、その基端部がベース２の上部に接続され、ベース２を介して支柱１の外周面に固定される。上フレーム３１は、断面円形のアルミニウム合金製の中空押出形材を加工したものであり、その両端に偏平状の接続端部３１ａを有している。接続端部３１ａは、中空押出形材の端部をプレス加工などにより押し潰すことにより形成される。接続端部３１ａは、図６の（ｂ）および（ｃ）に示すように、ベース２の連結溝２２ａ（図６の（ｃ）参照）および後記する節点部材３３の連結溝３３ａ（図６の（ｂ）参照）に嵌合可能であり、接続端部３１ａの先端部分には、ベース２の連結溝２２ａの凹凸あるいは後記する節点部材３３の連結溝３３ａの凹凸に係合する凹凸が上フレーム３１の軸線に直交する方向（図６の（ａ）において上下方向）に沿って形成されている。このようにしておくと、上フレーム３１に大きな軸力（引張力）が作用しても、これがベース２や節点部材３３から引き抜かれることがない。なお、接続端部３１ａがベース２および節点部材３３の軸線方向に長い偏平状に形成されていることから、上フレーム３１と節点部材３３との接続構造は、ベース２および節点部材３３の軸線方向（つまり、上下方向）の外力に対する強度が高い。
【００３４】
下フレーム３２は、図６の（ａ）に示すように、その基端部がベース２の下部に接続され、ベース２を介して支柱１の外周面に固定される。下フレーム３２は、アルミニウム合金製の中空押出形材を加工したものであり、その両端に偏平状の接続端部３２ａを有している。接続端部３２ａは、ベース２の連結溝２２ａ（図６の（ｃ）参照）および後記する節点部材３３の連結溝３３ａ（図６の（ｂ）参照）に嵌合可能であり、その先端部分には、上フレーム３１の凹凸と同様の凹凸が形成されている。なお、接続端部３２ａの凹凸は、下フレーム３２の軸線に対して角度αをなす方向に沿って形成されている。これにより、下フレーム３２は、その軸線がベース２および節点部材３３の軸線に対して角度αだけ傾斜した状態でベース２および節点部材３３に接続されることになる。
【００３５】
節点部材３３は、図７に示すように、円柱形状を呈しており、その外周面には、その中心線方向に沿って複数（本実施形態では三つ）の連結溝３３ａ，３３ａ，…が形成されている。連結溝３３ａの内壁面には、その中心線方向（図７では上下方向）に沿って凹凸が形成されている。また、節点部材３３の中心線上には、ボルト挿通孔３３ｂが形成されている。節点部材３３は、アルミニウム合金製の押出形材からなり、連結溝３３ａおよびボルト挿通孔３３ｂは、アルミニウム合金を押出成形する際に形成される。なお、節点部材３３は、鋳造により製作してもよい。また、節点部材３３の形状も図示のものに限定されることはなく、例えば、多角柱形状にしても差し支えない。
【００３６】
図２に示す支持片３４は、踏板５の先端部分（外縁部分）を支持するものであって、節点部材３３から踏板５の下面に沿って張り出している。支持片３４は、図８に示すように、偏平状の接続端部３４ａと、この接続端部３４ａから張り出す張出部３４ｂとを有している。接続端部３４ａは、節点部材３３の連結溝３３ａ（図７参照）に嵌合可能であり、接続端部３４ａの先端部分には、節点部材３３の連結溝３３ａの凹凸に係合する凹凸が上下方向に沿って形成されている。また、張出部３４ｂには、これを上下方向に貫通する雌ネジ孔３４ｃが形成されている。この雌ネジ孔３４ｃには、踏板５の先端部分を固定するための六角穴付きの皿ボルトＢ５２（図１０参照）が螺合される。
【００３７】
ここで、上下に隣り合うブラケット３，３の関係を、図２を参照して詳細に説明する。この図に示すように、本実施形態においては、踏板５の後側を支持するブラケット３を含む鉛直面内に、一段上の踏板５の前側を支持するブラケット３が配置されており、かつ、上下に隣り合う節点部材３３，３３同士が柱状部材３５を介して互いに連結されている。なお、柱状部材３５は、節点部材３３と同一の直径を有するアルミニウム合金製の円柱であり、その中心には、図示せぬボルト挿通孔が形成されている。
【００３８】
このように、本実施形態においては、隣接するブラケット３，３は、その外周部において互いに連結されており、一段下のブラケット３がその上段のブラケット３を支持している。なお、最下段の踏板５の前側を支持するブラケット３’については、図９に示すように、その先端部分が下階の階段取付部Ｆ１に支持されている。ブラケット３’においては、上フレーム３１の先端と下フレーム３２の先端を連結する節点部材３３’の長さが、その他のブラケット３の節点部材３３（図７参照）よりも大きくなっていて、その下端部に接続された一対の支持片３４’，３４’を介して下階の階段取付部Ｆ１に固定されている。なお、支持片３４’は、踏板５を支持する支持片３４（図８参照）の上下を逆さにしたものなので、その詳細な説明を省略する。また、節点部材３３’と下階の階段取付部Ｆ１との間には、ワッシャ３６’が介設されている。
【００３９】
＜連結フレーム＞  
図２に示すように、連結フレーム４は、前後に隣り合う節点部材３３，３３を連結するものであって、本実施形態では水平に配置されており、同一の高さに位置する節点部材３３，３３を互いに連結している。連結フレーム４は、断面円形のアルミニウム合金製の中空押出形材を加工したものであり、その端部に偏平状の接続端部４ａを有している。接続端部４ａは、節点部材３３の連結溝３３ａ（図６の（ｂ）参照）に嵌合可能であり、接続端部４ａの先端部分には、上フレーム３１（図６の（ｂ）参照）と同様の凹凸が形成されている。
【００４０】
＜立体トラス構造体の組立方法＞  
ここで、図２を参照してベース２と二個一組のブラケット３，３と連結フレーム４とで構成される立体トラス構造体Ｔの組立方法を説明する。立体トラス構造体Ｔを組み立てるには、ベース２の二つの連結溝２２ａ，２２ａ（図５の（ａ）参照）のそれぞれに、上フレーム３１の一端および下フレーム３２の一端を接続するとともに、上フレーム３１の他端および下フレームの他端を節点部材３３に接続して二つのブラケット３，３を形成したうえで、前後に隣り合う節点部材３３，３３を連結フレーム４で連結し、さらに、節点部材３３に支持片３４を接続すればよい。なお、上フレーム３１をベース２に接続するには、図６の（ｃ）に示すように、ベース２の上面側（あるいは下面側）から、上フレーム３１の接続端部３１ａに形成された凹凸をベース２の連結溝２２ａに挿入すればよく、溶接や特別な工具は必要ない。上フレーム３１の節点部材３３への接続方法、下フレーム３２のベース２および節点部材３３への接続方法および連結フレーム４の節点部材３３への接続方法も同様である。
【００４１】
なお、ベース２の下面には、上フレーム３１および下フレーム３２の下方向への抜け出しを防止する板状の規制部材２４（図５の（ａ）参照）が固着される。また、ベース２の連結溝２２ａには、上フレーム３１の接続端部３１ａと下フレーム３２の接続端部３２ａとの間に、連結溝２２ａと同一の寸法・形状を有する図示せぬ溝埋部材が挿入され、節点部材３３の連結溝３３ａには、支持片３４の接続端部３４ａ（図８参照）の下側および連結フレーム４の接続端部４ａ（図２参照）の下側に、連結溝３３ａと同一の寸法・形状を有する図示せぬ溝埋部材が挿入される。なお、連結溝２２ａと接続端部３１ａ等との間に生じる微細な隙間を埋めるべく、この隙間に接着剤などを流し込んでもよい。
【００４２】
＜踏板＞  
踏板５は、図１０に示すように、略扇形状を呈する板材からなり、その基端部分（支柱１側の端部）がベース２の上面に固定され、先端部分（外縁部分）が支持片３４の上面に固定される。踏板５の基端側の縁辺５ａは、支柱１の外周面に合わせて円弧状に成形されており、支柱１の外周面に当接している。また、踏板５の先端側の縁辺５ｂも円弧状に成形されている。なお、踏板５の先端側の角部５ｃ，５ｃは、柱状部材３５の外形に合わせて切り欠かれている。なお、踏板５は、例えば、アルミニウム合金製としてもよいし、木製やガラス製としても差し支えない。
【００４３】
なお、踏板５の基端部分をベース２の上面に固定すると、踏板５の基端部分をしっかりと固定することが可能となる。また、踏板５の基端側の縁辺５ａを、支柱１の外周面に合わせて円弧状に成形すると、踏板５の縁辺５ａが支柱１の外周面にぴったりと当接することになるので、すっきりとした外観となる。
【００４４】
＜手摺支柱＞  
手摺支柱６は、図１１の（ａ）に示すように、手摺子６１と、この手摺子６１の上端に取り付けられる上接続部材６２と、手摺子６１の下端に取り付けられる下接続部材６３とを備えていて、本実施形態では、節点部材３３の上面に立設される。
【００４５】
手摺子６１は、本実施形態では、略矩形の外形を有する中空のアルミニウム合金製の押出形材からなる。手摺子６１の内部には、図１１の（ｂ）にも示すように、四つのビスホール６１ａ，６１ａ，…と、四つの溝部６１ｂ，６１ｂ，…とが形成されている。また、手摺子６１の側面には、複数の貫通孔６１ｃ，６１ｃ，…が形成されている。この貫通孔６１ｃには、ワイヤー等の線状部材６４（図１参照）が挿通される。なお、図示は省略するが、支柱本体１１の外形を円形としても差し支えない。
【００４６】
上接続部材６２は、図１１の（ａ）に示すように、手摺子６１の上端部と手摺７との間に介設されるものであって、手摺子６１の上端面に当接するフランジ部６２ａと、このフランジ部６２ａの下面に突設された下側突部６２ｂと、フランジ部６２ａの上面に斜めに突設された上側突部６２ｃと、上側突部６２ｃの上端に設けられた取付部６２ｄとを備えている。下側突部６２ｂは、手摺子６１の内部に挿入可能な形状に成形されている。また、取付部６２ｄは、手摺７の下面に当接可能な形状に成形されている。なお、上接続部材６２を手摺子６１の上端部に固定するには、下側突部６２ｂを手摺子６１の内部に挿入したうえで、手摺子６１の側面から、下側突部６２ｂを貫通するタッピングネジＢ６２を螺入すればよい。
【００４７】
下接続部材６３は、手摺子６１の下端部と節点部材３３との間に介設されるものであって、節点部材３３の上面に当接する基部６３ａと、この基部６３ａの上面に突設された挿入部６３ｃとを備えている。基部６３ａは、節点部材３３と同一の外径を有する円板状に成形されており、手摺子６１のビスホール６１ａ，６１ａ，…（図１１の（ｂ）参照）に対応する位置には、図１１の（ｃ）にも示すように、挿通孔６３ｂ，６３ｂ，…が形成されている。この挿通孔６３ｂには、下接続部材６３を手摺子６１の下端部に固定するためのタッピングネジＢ６３（図１１の（ａ）参照）が挿通される。挿入部６３ｃは、手摺子６１の内部に挿入可能な形状に成形されており、かつ、その外周部には、手摺子６１の溝部６１ｂに係合する係合突部６３ｄが形成されている。また、挿入部６３ｃの中央部には、雌ネジ孔６３ｅが形成されている。この雌ネジ孔６３ｅには、節点部材３３のボルト挿通孔３３ｂ（図７参照）に挿通された長ボルトＢ３１（図１１の（ａ）参照）が螺合される。なお、下接続部材６３を手摺子６１の下端部に固定するには、挿入部６３ｃを手摺子６１の内部に挿入したうえで、基部６３ａの挿通孔６３ｂにタッピングネジＢ６３を挿通し、その先端部を手摺子６１のビスホール６１ａに螺入すればよい。
【００４８】
＜手摺＞  
図１に示す手摺７は、複数の手摺支柱６，６，…を縫うように配置されており、本実施形態では、螺旋状に曲げ加工が施されたアルミニウム合金製の押出形材からなる。なお、手摺７を手摺支柱６の上端部に固定するには、手摺７の下面に図１１に示す上接続部材６２の取付部６２ｄを当接させたうえで、取付部６２ｄの下面から図示せぬタッピングネジを螺入すればよい。
【００４９】
＜その他＞  
図１に示すように、本実施形態に係る階段においては、下側の支柱本体１１の外周面と中間階の階段取付部（梁や壁など）Ｆ２との間に中央支承８が介設されており、下階段部Ｋ１の最上段のブラケット３と中間階の階段取付部Ｆ２との間に側部支承９が介設されている。また、上側の支柱本体１１の外周面と上階の階段取付部（梁や壁など）Ｆ３との間に中央支承８が介設されており、上階段部Ｋ２の最上段のブラケット３と上階の階段取付部Ｆ３との間に側部支承９が介設されている。なお、以下では、階段取付部Ｆ２に取り付けられた中央支承８および側部支承９について説明をする。
【００５０】
中央支承８は、図３に示すように、支柱本体１１の外周面に取り付けられる支柱側部材８Ａと、階段取付部Ｆ２に取り付けられる躯体側部材８Ｂと、支柱側部材８Ａと躯体側部材８Ｂとを連結する連結軸８Ｃとからなる。
【００５１】
支柱側部材８Ａは、支柱本体１１の外周面の形状に合わせて成形された支柱当接部８１と、この支柱当接部８１に突設された突出部８２とを備えている。支柱当接部８１には、突出部８２の両側のそれぞれに、ボルト挿通孔８１ａ，８１ａが形成されており、突出部８２には、その中央部に貫通孔８２ａが形成されている。支柱当接部８１のボルト挿通孔８１ａには、六角穴付きのボルトＢ８１が挿通され、このボルトＢ８１は、支柱本体１１に形成された雌ネジ孔１１ｇに螺合される。なお、支柱側部材８Ａは、アルミニウム合金を鋳造して形成してもよいし、アルミニウム合金製の押出形材を加工して形成してもよい。
【００５２】
躯体側部材８Ｂは、階段取付部Ｆ２に取り付けられる躯体当接部８３と、この躯体当接部８３の中央に突設された一対の保持部８４，８４とを備えている。躯体当接部８３には、一対の保持部８４，８４の両側のそれぞれに、図示せぬボルト挿通孔が形成されており、このボルト挿通孔にボルトＢ８２が挿通されている。また、一対の保持部８４，８４は、支柱側部材８Ａの突出部８２を挿入可能な間隔をもって対峙しており、各保持部８４の中央部には、貫通孔８４ａが形成されている。なお、支柱側部材８Ａは、アルミニウム合金を鋳造して形成してもよいし、アルミニウム合金製の押出形材を加工して形成してもよい。
【００５３】
連結軸８Ｃは、支柱側部材８Ａの突出部８２に設けられた貫通孔８２ａおよび躯体側部材８Ｂの一対の保持部８４，８４に設けられた貫通孔８４ａに挿通されるボルト８５と、このボルト８５に螺合するナット８６とで構成されている。なお、ボルト８５の頭部およびナット８６には、これを覆い隠すキャップ８７が取り付けられる。
【００５４】
なお、支柱側部材８Ａと躯体側部材８Ｂとを連結するには、支柱側部材８Ａの突出部８２を躯体側部材８Ｂの一対の保持部８４，８４の間に挿入したうえで、支柱側部材８Ａの突出部８２の貫通孔８２ａおよび躯体側部材８Ｂの各保持部８４の貫通孔８４ａにボルト８５を挿通し、その軸部にナット８６を螺合すればよい。
【００５５】
側部支承９は、図１２に示すように、節点部材３３に取り付けられるブラケット側部材９Ａと、階段取付部Ｆ２に取り付けられる躯体側部材９Ｂと、ブラケット側部材９Ａと躯体側部材９Ｂとを連結する連結軸９Ｃとからなる。なお、躯体側部材９Ｂおよび連結軸９Ｃの構成は、前記した中央支承８の躯体側部材８Ｂおよび連結軸８Ｃの構成と同様であるので、その詳細な説明は省略する。
【００５６】
ブラケット側部材９Ａは、節点部材３３から階段取付部Ｆ２に向かって張り出す板状の部材からなり、節点部材３３の連結溝３３ａ（図７参照）に接続される偏平状の接続端部９１ａと、躯体側部材９Ｂの一対の保持部９４，９４の間に挿入される挿入部９１ｂとを備えている。接続端部９１ａの先端部分には、節点部材３３の連結溝３３ａ（図７参照）の凹凸に係合する凹凸が上下方向に沿って形成されている。また、挿入部９１ｂには、貫通孔９１ｃが形成されており、この貫通孔９１ｃに連結軸９Ｃを構成するボルト９５が挿通される。
【００５７】
＜階段の構築方法＞  
次に、以上のように構成された階段の構築方法を詳細に説明する。まず、図３に示すように、下階の階段取付部Ｆ１（図１参照）に下側の支柱本体１１を立設固定するとともに、中間階の階段取付部Ｆ２と支柱本体１１との間に中央支承８を介設し、支柱本体１１を階段取付部Ｆ２に固定する。なお、支柱本体１１を下階の階段取付部Ｆ１に固定するには、支持部材１３のボルト挿通孔１３ｃに、その上側からボルトＢ１３を挿通し、ボルトＢ１３を階段取付部の適所に螺合すればよい。
【００５８】
続いて、下側の支柱本体１１の上端部の内空部１１ｆに連結部材１２の下半分を挿入するとともに、下側の支柱本体１１の挿通孔１１ｂに挿通したボルトＢ１１の軸部を雌ネジ孔１２ａに螺合して下側の支柱本体１１と連結部材１２とを固定する。なお、連結部材１２は、下側の支柱本体１１を立設する前に、工場等において予め取り付けておいてもよいし、下側の支柱本体１１を立設した後に取り付けてもよい。
【００５９】
次に、上側の支柱本体１１の下端部の内空部に連結部材１２の上半分を挿入しつつ、上側の支柱本体１１を下側の支柱本体１１の上端面に立設し、上側の支柱本体１１の挿通孔１１ｂに挿通したボルトＢ１１の軸部を雌ネジ孔１２ａに螺合して上側の支柱本体１１と連結部材１２とを固定する。また、図１に示すように、上階の階段取付部Ｆ３と上側の支柱本体１１との間に中央支承８を介設し、支柱本体１１を階段取付部Ｆ３に固定する。
【００６０】
続いて、図１３に示すように、四面体を呈する立体トラス構造体Ｔと踏板５とを含む段板ユニットＵ，Ｕ，…を支柱１（支柱本体１１）の外周面に取り付けるとともに、下段の踏板５の後側を支持するブラケット３とその一段上の踏板５の前側を支持するブラケット３（すなわち、同一の鉛直面内にあるブラケット３，３）を互いに連結する。同一の鉛直面内にあるブラケット３，３を連結するには、図１１にも示すように、上下に隣り合う節点部材３３，３３の間に柱状部材３５を介設するとともに、上側の節点部材３３の上面に手摺支柱６を立設し、さらに下側の節点部材３３の下面に上フレーム３１等の抜け出しを防止するワッシャ３６をあてがったうえで、ワッシャ３６の下方から、下側の節点部材３３のボルト挿通孔３３ｂ（図７参照）と柱状部材３５の図示せぬボルト挿通孔と上側の節点部材３３のボルト挿通孔３３ｂとに長ボルトＢ３１を挿通し、その先端を、手摺支柱６の挿入部６３ｃに形成された雌ネジ孔６３ｅに螺合すればよい。なお、長ボルトＢ３１の頭部には、これを覆い隠すキャップ３７が取り付けられる。
【００６１】
なお、図１３に示すように、下階段部Ｋ１の最下段の踏板５の前側を支持するブラケット３’は、その節点部材３３’に接続された支持片３４’を利用して下階の階段取付部Ｆ１に固定し、図１２に示すように、下階段部Ｋ１の最上段の踏板５の後側を支持するブラケット３は、その節点部材３３に接続されたブラケット側部材９Ａと中間階の階段取付部Ｆ２に固定された躯体側部材９Ｂとを連結軸９Ｃを介して連結することにより中間階の階段取付部Ｆ２に固定する。また、図示は省略するが、上階段部Ｋ２（図１参照）の最上段の踏板５の後側を支持するブラケット３は、その節点部材３３に接続されたブラケット側部材９Ａと上階の階段取付部Ｆ３に固定された躯体側部材９Ｂとを連結軸９Ｃを介して連結することにより上階の階段取付部Ｆ３に固定する。
【００６２】
そして、図１に示すように、手摺支柱６，６，…の上端に手摺７を取り付け、手摺子６１の貫通孔６１ｃ（図１１参照）に線状部材６４を挿通すると、本実施形態に係る階段が完成する。
【００６３】
なお、図１３に示す段板ユニットＵは、施工現場において組み立ててもよいが、工場等において予め組み立てておけば、施工現場での作業がより一層容易になる。また、段板ユニットＵの取付順序は、下段から順に取り付けるのが好適であるが、これに限定されることはなく、上段から順に取り付けてもよいし、中段から取り付けてもよい。
【００６４】
なお、本実施形態では、立体トラス構造体Ｔと踏板５とを予め一体にしてなる段板ユニットＵを支柱１の外周面に固定するという構築方法を例示したが、立体トラス構造体Ｔを支柱１の外周面に固定した後に、その上面に踏板５を固定するという構築方法を採用してもよいし、さらには、複数のベース２，２，…を支柱１の外周面に固定した後に、各ベース２に上フレーム３１や下フレーム３２を接続するという構築方法を採用してもよい。
【００６５】
以上のように構成された本実施形態に係る支柱１の連結構造によると、図３に示すように、支柱１を構成する支柱本体１１，１１を、その内空部１１ｆに挿入した連結部材１２を介して連結しているので、連結部材１２が露出することがなく、したがって、接合部分の外観がすっきりとしたものになる。また、図４の（ａ）に示すように、隣り合う支柱本体１１，１１の境界部分を跨ぐように連結部材１２を配置しているので、この境界部分（接合部分）においても曲げモーメントやせん断力に対して高い抵抗力を発揮し、さらに、相対回転不能な状態で連結部材１２を支柱本体１１の内空部１１ｆ（図４の（ｂ）参照）に挿入しているので、ねじりに対しても高い抵抗力を発揮する。
【００６６】
また、本実施形態においては、図４の（ｂ）および（ｃ）に示すように、支柱本体１１の挿通孔１１ｂに挿通したボルトＢ１１の軸部を連結部材１２の雌ネジ孔１２ａに螺合することにより、支柱本体１１と連結部材１２とを固定したので、連結部材１２の上下方向のずれを確実に防止することが可能となる。なお、ボルトＢ１１に対してねじりモーメント等に起因するせん断力が作用するが、連結部材１２を相対回転不能な状態で支柱本体１１の内空部１１ｆに挿入しているので、ボルトのみで支柱本体を接合する場合に比べて、ボルトＢ１１が負担するせん断力の大きさは小さいものとなる。
【００６７】
さらに、本実施形態のように、支柱本体１１の複数の凹部１１ｄ，１１ｄ，…の角度ピッチαを、踏板５の中心角β（図１０参照）と等しくしておけば、上下方向に隣り合う支柱本体１１，１１の接合位置（すなわち、支柱本体１１と連結部材１２の接合位置）を踏板５の中心角βと等しい角度ピッチで周方向に回転させることが可能となるので、支柱本体１１，１１の各々の周囲に配置した複数の踏板５，５，…を規則正しく配置することが可能となる。
【００６８】
また、本実施形態に係る階段によると、図２に示すように、立体トラス構造体Ｔによって踏板５を支持する構成としたので、看者に軽快な印象を与えることが可能となる。しかも、この階段によれば、踏板５の後側を支持するブラケット３を含む鉛直面内に、一段上の踏板５の前側を支持するブラケット３が配置されているので、すっきりとした外観で、かつ、調和の取れた安定感のある外観を実現することができる。なお、細長の部材（上フレーム３１および下フレーム３２）を組み合わせて構成した立体トラス構造体Ｔは、高い曲げ剛性を備えていることから、踏板５を安定的に支持することが可能である。
【００６９】
さらに、本実施形態においては、図２に示すように、上フレーム３１の先端と下フレーム３２の先端とを、節点部材３３を介して連結し、さらに、上下に隣り合う節点部材３３，３３を柱状部材３５を介して互いに連結したので、一の踏板５に作用する荷重がその上下にある踏板５を支持するブラケット３に分散することになる。つまり、本実施形態に係る階段によれば、上下に隣り合う節点部材３３，３３を連結しない場合に比べて、上フレーム３１等を軽構造にすることができる。
【００７０】
しかも、本実施形態においては、上下に隣り合う節点部材３３，３３を、柱状部材３５を介して互いに連結したので、蹴上げ高さごとにブラケット３を準備しておく必要がなくなる。つまり、一の階段の蹴上げ高さに合わせて製作したブラケット３を蹴上げ高さの異なる他の階段に使用する場合には、柱状部材３５の高さ寸法のみを変更すればよく、ブラケット３については、蹴上げ高さの異なる階段に共通して使用することが可能となる。
【００７１】
さらに、本実施形態に係る階段においては、図１０に示すように、節点部材３３に支持片３４を接続するとともに、踏板５の先端部分を支持片３４の上面に固定する構成としたので、例えば、上下に隣り合う節点部材３３，３３を連結した後であっても、踏板５を固定することが可能となり、あるいは、踏板５を取り外すことが可能となる。
【００７２】
また、本実施形態に係る階段においては、ベース２と二個一組のブラケット３，３と連結フレーム４とで立体トラス構造体Ｔを形成するとともに、この立体トラス構造体Ｔと踏板５とを一体にした段板ユニットＵを構成したので（図１３参照）、組立作業の簡易化を図ることが可能となる。また、段板ユニットＵを下段から順に取り付ける必要がないので、施工順序が限定され難くなり、さらに、階段の構築後においては、踏板一段分の段板ユニットＵだけを取り外すことが可能となるので、メンテナンスや部品の交換を行い易くなる。
【００７３】
また、本実施形態に係る階段においては、図１１に示すように、節点部材３３の上面に手摺支柱６を立設し、上下に隣り合う節点部材３３，３３と手摺支柱６とを一直線上に配置したので、階段の外観がすっきりとしたものになる。
【００７４】
なお、本実施形態においては、１階から３階に至る階段を例示したが、本発明に係る階段が設置される階数を限定する趣旨ではない。本発明に係る階段は、例えば、１階から中２階を介して２階へ至る階段、地下階から地上階に至る階段、屋上に至る階段などとして利用することができる。また、前記した階段の構成は、図示のものに限定されることはなく、適宜変更しても差し支えない。例えば、本実施形態においては、下階段部Ｋ１と上階段部Ｋ２の境界部分において、上下の支柱本体１１，１１を接合したが（図３参照）、これに限定されることはなく、他の位置で支柱本体１１，１１を接合しても差し支えない。また、本実施形態においては、二つの支柱本体１１，１１で支柱１を構成したが、三つ以上の支柱本体１１で支柱１を構成しても差し支えない。
【００７５】
さらに、本実施形態においては、支柱本体１１の内周面に複数の凹部１１ｄ，１１ｄ，…を形成するとともに、連結部材１２の外周面に凹部１１ｄに係合する複数の凸部１２ｂ，１２ｂ，…を形成することで、支柱本体１１と連結部材１２の相対回転を不能にしたが（図４の（ｂ）および（ｃ）参照）、これに限定されることはなく、図示は省略するが、支柱本体１１の内空部を断面ｎ角形に成形するとともに、連結部材１２の外形を断面ｎ角形に成形することで、支柱本体１１と連結部材１２の相対回転を不能にしてもよい。この場合には、３６０°／ｎの値を、踏板５の中心角β（図１０参照）と等しくするとよい。
【００７６】
また、前記した本実施形態においては、同じ高さにあるブラケット３，３の基端同士を、ベース２を介して連結する構成を例示したが、例えば、図１４に示す変形例のように、上下に隣り合うブラケット３０，３０の基端同士を、縦長のベース２０を介して連結してもよい。つまり、上下に隣り合う二個一組のブラケット３０，３０とベース２０とで平面トラス構造体Ｔ’を構成し、この平面トラス構造体Ｔ’を支柱１の外周面に固定する構成を採用してもよい。つまり、同一の鉛直面内にある二個一組のブラケット３０，３０の基端同士を、ベース２０を介して連結してもよい。
【００７７】
ここで、ベース２０は、支柱本体１１の外周面に取り付けられる縦長の部材からなり、その支柱本体１１側との当接面が支柱本体１１の外周面の形状に合わせて成形されている。また、ベース２０の支柱本体１１とは反対側の面には、連結溝２２ａが上下方向に形成されている。なお、ベース２０の連結溝２２ａの両側には、図示せぬボルト挿通孔が形成されていて、当該ボルト挿通孔に六角穴付きの皿ボルト（図示略）を挿通し、支柱本体１１に形成された図示せぬ雌ネジ孔に螺合することでベース２０が支柱本体１１の外周面に固定される。
【００７８】
また、図１４に示す変形例においては、平面トラス構造体Ｔ’を構成する二個一組のブラケット３０，３０のうち、下側にあるブラケット３０については、上フレーム３１’の先端と下フレーム３２の先端とが前記した節点部材３３を介して連結されているが、上側にあるブラケット３０については、上フレーム３１’の先端と下フレーム３２の先端とが節点部材３３よりも長尺の節点部材３３’（図９に示すものと同じもの）を介して連結されている。また、図１４に示す変形例においては、上側にあるブラケット３０の節点部材３３’と下側にあるブラケット３０の節点部材３３とが直に連結されている。
【００７９】
ここで、上フレーム３１’の上部には、踏板５が載置される踏板支持部３１ｂが形成されている。踏板支持部３１ｂは、その上面が水平になっており、踏板５の下面に当接する。なお、上フレーム３１’は、図１５に示す断面のアルミニウム合金製の中空押出形材を加工したものである。
【００８０】
このように、上下に隣り合う二個一組のブラケット３０，３０を一体化して平面的なユニット（平面トラス構造体Ｔ’）を構成すると、現場での組立作業を簡易迅速に行うことが可能となり、さらには、ユニットが平面的であるが故に、複数のユニットを重ねた状態で運搬・保管することが可能となる。
【００８１】
なお、前後に隣り合う節点部材３３，３３’を、連結フレーム４を介して互いに連結すると、前後に隣り合うブラケット３０，３０と連結フレーム４とで図２に示す立体トラス構造体Ｔと同様の立体トラス構造体が形成されることになるので、踏板５を安定的に支持することが可能である。
【００８２】
なお、本実施形態に係る階段では、複数の手摺支柱６，６，…を縫うように複数の線状部材６４が配置されているが、このほか、図示は省略するが、例えば、隣り合う手摺支柱６，６間にパネルを配置してもよい。なお、パネルについては、アクリルなどの透光性を有する板材のほか、木製の板材やアルミニウム合金製などの透光性を有さない板材で構成することができる。また、図示は省略するが、手摺支柱６，６の間に、一本以上の手摺支柱をさらに配置してもよい。
【００８３】
＜変形例＞
前記した実施形態では、上階段部Ｋ２の支柱本体１１と最上段のブラケット３とを階段取付部Ｆ３に直接的に固定する構成を例示したが、図１６の（ａ）および（ｂ）に示す本実施形態の変形例のように、踊場Ｌを介して間接的に上階の階段取付部Ｆ３に固定する構成であってもよい。
【００８４】
踊場Ｌは、図１６の（ｂ）に示すように、トラス構造を基調とした支持構造体１００と、この支持構造体１００の上面に固定された一対の下地材２００，２００と、この下地材２００，２００の上面に固定された踊場用踏板３００と、踊場手摺ユニット４００とを備えている。
【００８５】
図１７の（ａ）は、図１６の（ｂ）のＸ２−Ｘ２断面図であるが、この図に示すように、支持構造体１００は、支柱１と階段取付部Ｆ３との間に介設された内側トラス１１０と、最上段のブラケット３の先端部分（外縁部分）と階段取付部Ｆ２との間に介設された外側トラス１２０と、内側トラス１１０の前側と外側トラス１２０の前側とを連結する上下一対の前側連結フレーム１３１，１３１（図１８の（ａ）参照）と、内側トラス１１０の後側と外側トラス１２０の後側とを連結する後側連結フレーム１３２と、内側トラス１１０の前側と外側トラス１２０の後側とを連結する第一斜めフレーム１３３と、この第一斜めフレーム１３３の下方において内側トラス１１０の後側と外側トラス１２０の前側とを連結する第二斜めフレーム１３４とを備えている。
【００８６】
内側トラス１１０は、図１６の（ｂ）に示すように、水平に配置された第一フレーム１１１と、この第一フレーム１１１の下方において斜めに配置された第二フレーム１１２と、第一フレーム１１１の前端（支柱１側の端部）と第二フレーム１１２の前端とを連結する長尺の前側節点部材１１３と、第一フレーム１１１の後端（階段取付部Ｆ３側の端部）と第二フレーム１１２の後端とを連結する短尺の後側節点部材１１４と、を備えていて、側面視直角三角形状を呈している。
【００８７】
ここで、第一フレーム１１１および第二フレーム１１２の構成は、それぞれ図６（ａ）に示す上フレーム３１および下フレーム３２と同様であるので、その詳細な説明は省略する。また、前側節点部材１１３の構成は、図９に示す節点部材３３’と同様であるので、その詳細な説明は省略し、後側節点部材１１４の構成は、図７に示す節点部材３３と同様であるので、その詳細な説明は省略する。
【００８８】
また、外側トラス１２０の構成は、内側トラス１１０と同様であるので、その詳細な説明は省略する。
【００８９】
前側連結フレーム１３１は、図１７の（ａ）に示すように、内側トラス１１０の前側節点部材１１３と外側トラス１２０の前側節点部材１２３とを連結するものであって、水平に配置されている。上下一対の前側連結フレーム１３１，１３１のうち（図１８の（ａ）参照）、上側の前側連結フレーム１３１は、内側トラス１１０の第一フレーム１１１と外側トラス１２０の第一フレーム１２１とを含む平面（水平面）内に配置されており、また、図１８の（ａ）に示すように、下側の前側連結フレーム１３１は、上側の前側連結フレーム１３１を含む鉛直面内に配置されている。なお、前側連結フレーム１３１の構成は、図２に示す連結フレーム４と同様であるので、その詳細な説明は省略する。
【００９０】
後側連結フレーム１３２は、図１８の（ｂ）に示すように、内側トラス１１０の後側節点部材１１４と外側トラス１２０の後側節点部材１２４とを連結するものであって、水平に配置されている。図１７の（ａ）に示すように、後側連結フレーム１３２は、内側トラス１１０の第一フレーム１１１と外側トラス１２０の第一フレーム１２１とを含む平面（水平面）内に配置されている。なお、後側連結フレーム１３２の構成は、図２に示す連結フレーム４と同様であるので、その詳細な説明は省略する。
【００９１】
第一斜めフレーム１３３は、図１７の（ａ）に示すように、内側トラス１１０の前側節点部材１１３と外側トラス１２０の後側節点部材１２４とを連結するものであって、本実施形態では、内側トラス１１０の第一フレーム１１１と外側トラス１２０の第一フレーム１２１とを含む平面（水平面）内に配置されている。なお、第一斜めフレーム１３３の構成は、図２に示す連結フレーム４と同様であるので、その詳細な説明は省略する。
【００９２】
第二斜めフレーム１３４は、図１７の（ｂ）に示すように、内側トラス１１０の後側節点部材１１４と外側トラス１２０の前側節点部材１２３とを連結するものであって、本実施形態では、内側トラス１１０の第二フレーム１１２と外側トラス１２０の第二フレーム１２２とを含む平面内に配置されている。
【００９３】
なお、支持構造体１００の組立は、前記した立体トラス構造体Ｔの組立方法に準じて行えばよい。
【００９４】
内側トラス１１０の前側と支柱１の外周面との間には、図１７の（ａ）に示すように、第一内側支承１４０が介設されており、内側トラス１１０の後側と階段取付部Ｆ３との間には、第二内側支承１５０が介設されている。また、外側トラス１２０の前側とブラケット３との間には、第一外側支承１６０が介設されており、外側トラス１２０の後側と階段取付部Ｆ３との間には、第二外側支承１７０が介設されている。さらに、外側トラス１２０の前側および後側には、階段取付部Ｆ３に直交する第二の階段取付部Ｆ３’との間に、補助支承１８０，１８０が介設されている。
【００９５】
第一内側支承１４０は、図１９の（ａ）に示すように、支柱１の外周面に取り付けられる支柱側部材１４１と、内側トラス１１０の前側節点部材１１３に取り付けられるトラス側部材１４２と、支柱側部材１４１とトラス側部材１４２とを連結する連結軸１４３とからなる。トラス側部材１４２は、偏平状の接続端部１４２ａと、この接続端部１４２ａから張り出すＵ字状の二股部１４２ｂとを有している。接続端部１４２ａは、前側節点部材１１３の連結溝（図７に示す連結溝３３ａと同様のもの）に嵌合可能であり、接続端部１４２ａの先端部分には、連結溝の凹凸に係合する凹凸が上下方向に沿って形成されている。また、二股部１４２ｂには、支柱側部材１４１の突出部１４１ａが挿入される。なお、支柱側部材１４１および連結軸１４３の構成は、図３に示す支柱側部材８Ａおよび連結軸８Ｃと同様であるので、その詳細な説明は省略する。
【００９６】
第二内側支承１５０は、図１９の（ｂ）に示すように、内側トラス１１０の後側節点部材１１４に取り付けられるトラス側部材１５１と、階段取付部Ｆ３に取り付けられる躯体側部材１５２と、トラス側部材１５１と躯体側部材１５２とを連結する連結軸１５３とからなる。なお、トラス側部材１５１、躯体側部材１５２および連結軸１５３の構成は、それぞれ、図１２に示すブラケット側部材９Ａ、躯体側部材９Ｂおよび連結軸９Ｃと同様であるので、その詳細な説明は省略する。
【００９７】
第一外側支承１６０は、図１９の（ｃ）に示すように、ブラケット３の節点部材３３に取り付けられるブラケット側部材１６１と、外側トラス１２０の前側節点部材１２３に取り付けられるトラス側部材１６２と、ブラケット側部材１６１とトラス側部材１６２とを連結する連結軸１６３とからなる。なお、ブラケット側部材１６１および連結軸１６３の構成は、それぞれ図１２に示すブラケット側部材９Ａおよび連結軸９Ｃと同様であり、トラス側部材１６２の構成は、図１９の（ａ）に示すトラス側部材１４２と同様であるので、その詳細な説明は省略する。
【００９８】
また、図１７（ａ）に示す第二外側支承１７０および補助支承１８０の構成は、それぞれ第二内側支承１５０と同様であるので、その詳細な説明は省略する。
【００９９】
図１６の（ｂ）に示す下地材２００は、本実施形態の変形例では、断面ハット状を呈する形材からなる。本実施形態の変形例においては、支持構造体１００の上面に前後一対の下地材２００，２００が配置されているが、その前側（図１６の（ｂ）において支柱１側）の下地材２００は、図１８の（ａ）に示すように、内側トラス１１０の前側節点部材１１３と外側トラス１２０の前側節点部材１２３との間に架設されており、後側（図１６の（ｂ）において階段取付部Ｆ３側）の下地材２００は、図１８の（ｂ）に示すように、内側トラス１１０の後側節点部材１１４と外側トラス１２０の後側節点部材１２４との間に架設されている。
【０１００】
踊場用踏板３００は、図１６の（ａ）に示すように、平面視矩形形状を呈する板材からなり、下地材２００（図１６の（ｂ）参照）のフランジ部から螺入されたビスによって下地材２００の上面に固定される。
【０１０１】
踊場手摺ユニット４００は、内側トラス１１０に沿って配置されており、踊場用踏板３００を貫通して下地材２００の凹溝内に立設される第一の手摺支柱６’，６’と、この第一の手摺支柱６’，６’の間において踊場用踏板３００の上面に立設される複数の第二の手摺支柱６”，６”と、第一の手摺支柱６’および第二の手摺支柱６”の上端を繋ぐように配置された水平手摺７’とを備えている。
【０１０２】
ここで、第一の手摺支柱６’の構成は、図１１に示す手摺支柱６と同様であるので、その詳細な説明は省略する。なお、第一の手摺支柱６’は、内側トラス１１０の前側節点部材１１３（あるいは後側節点部材１１４）の下側から挿通された図示せぬ長ボルト（図１１に示す長ボルトＢ３１と同様のもの）によって下地材２００とともに前側節点部材１１３（あるいは後側節点部材１１４）に固定される。
【０１０３】
ちなみに、第二の手摺支柱６”は、踊場用踏板３００の下側から螺入された図示せぬタッピングネジによって踊場用踏板３００の上面に固定される。
【０１０４】
このように、階段の最上段と上階の階段取付部Ｆ３との間に踊場Ｌを介設すると、階段取付部Ｆ３（あるいは第二の階段取付部Ｆ３’）の形状や階段取付部Ｆ３と支柱１との位置関係などが建物ごとに異なる場合であっても、柔軟に対応することが可能となる。しかも、この踊場Ｌによれば、その支持構造体１００がトラス構造を基調としているため、同じくトラス構造を基調とした本実施形態に係る階段と調和し、すっきりとした外観を維持することが可能となる。加えて、この踊場Ｌは、その支持構造体１００がトラス構造を基調としているが故に、軽量かつ強固である。
【０１０５】
なお、図１６の（ｂ）に示すように、この変形例に係る踊場Ｌにおいては、踊場用踏板３００を、その上面の高さ位置が階段の最上段の踏板５よりも上方でかつ上階の床面よりも下方になるように設置したが、これに限定されることはなく、図示は省略するが、階高や階段取付部Ｆ３との取り合いによっては、踊場用踏板３００の上面が上階段部Ｋ２（図１参照）の最上段の踏板５の上面と同じ高さになるように設置してもよいし、あるいは、上階の床面と同じ高さになるように設置してもよい。
【０１０６】
また、図示は省略するが、下階段部Ｋ１の支柱本体１１と最上段のブラケット３とを踊場を介して間接的に中間階の階段取付部Ｆ２に固定しても勿論差し支えない。
【図面の簡単な説明】
【０１０７】
【図１】本実施形態に係る階段支柱の連結構造を示す斜視図である。
【図２】踏板を支持する構造体を説明するための拡大斜視図である。
【図３】階段支柱の構成を説明するための分解斜視図である。
【図４】（ａ）は階段支柱の構成を説明するための側断面図、（ｂ）は支柱本体を説明するための図であって（ａ）のＺ１−Ｚ１線断面図、（ｃ）は連結部材を説明するための図であって（ａ）のＺ１−Ｚ１線断面図である。
【図５】（ａ）はベースを示す斜視図、（ｂ）はベースの上面図である。
【図６】（ａ）はブラケットを示す正面図、（ｂ）は上フレームと節点部材との接続方法を説明するための斜視図、（ｃ）は上フレームとベースとの接続方法を説明するための斜視図である。
【図７】節点部材を示す斜視図である。
【図８】支持片を示す斜視図である。
【図９】最下段のブラケットを示す拡大斜視図である。
【図１０】踏板の取付方法を説明するための斜視図である。
【図１１】（ａ）は手摺支柱の構成を説明するための分解斜視図、（ｂ）は手摺子の拡大斜視図、（ｃ）は下接続部材の拡大斜視図である。
【図１２】側部支承の構成を説明するための分解斜視図である。
【図１３】階段の構築方法を説明するための分解斜視図である。
【図１４】踏板を支持する構造体の変形例を説明するための分解斜視図である。
【図１５】上フレームの変形例を示す断面図である。
【図１６】（ａ）は、本実施形態に係る階段の変形例を示す平面図、（ｂ）は（ａ）のＸ１−Ｘ１線断面図である。
【図１７】（ａ）は図１６の（ｂ）のＸ２−Ｘ２線断面図、（ｂ）は図１６の（ｂ）のＸ３−Ｘ３線断面図である。
【図１８】（ａ）は図１６の（ｂ）のＸ４−Ｘ４線断面図、（ｂ）は図１６の（ｂ）のＸ５−Ｘ５線断面図である。
【図１９】（ａ）は図１７の（ａ）のＹ１部分の拡大図、（ｂ）は図１７の（ａ）のＹ２部分の拡大図、（ｃ）は図１７の（ａ）のＹ３部分の拡大図である。
【符号の説明】
【０１０８】
１      支柱（階段支柱）
１１    支柱本体
１１ｂ  挿通孔
１１ｄ  凹部
１２    連結部材
１２ａ  雌ネジ孔
１２ｂ  凸部
２      ベース
３      ブラケット
４      連結フレーム
５      踏板
６      手摺支柱
７      手摺
【図１】
0004584111.tif 000002
【図２】
0004584111.tif 000003
【図３】
0004584111.tif 000004
【図４】
0004584111.tif 000005
【図５】
0004584111.tif 000006
【図６】
0004584111.tif 000007
【図７】
0004584111.tif 000008
【図８】
0004584111.tif 000009
【図９】
0004584111.tif 000010
【図１０】
0004584111.tif 000011
【図１１】
0004584111.tif 000012
【図１２】
0004584111.tif 000013
【図１３】
0004584111.tif 000014
【図１４】
0004584111.tif 000015
【図１５】
0004584111.tif 000016
【図１６】
0004584111.tif 000017
【図１７】
0004584111.tif 000018
【図１８】
0004584111.tif 000019
【図１９】
0004584111.tif 000020